(57)【要約】【課題】この発明は、原稿の画像をラインセンサを用いて読取るものにおいて、機体差なく、正確にごみや汚れを検知できる。【解決手段】この発明は、ごみや汚れの無い状態での白基準板からの反射光に対するＡ／Ｄ変換出力としてのラインセンサの各素子に対応する基準データ（階調値）と原稿を読取る前に白基準板からの反射光に対するＡ／Ｄ変換出力としてのラインセンサの各素子に対応するデータ（階調値）とを各素子ごとに比較し、画像品質に関わる一定階調差以上であれば読み取り動作を停止するようにしたものである。【選択図】    図２
2004186733.tif 000002
【特許請求の範囲】
【請求項１】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している記憶手段と、
上記原稿に対する読取り走査を行う際に、上記白基準板を上記走査手段により読取り走査することにより、上記ラインセンサから得られる１ライン分の画素単位の電気信号を出力する出力手段と、
この出力手段により出力された１ライン分の画素単位の電気信号と上記記憶手段にあらかじめ記憶されている基準データとを比較することにより、上記走査手段、上記ラインセンサ等におけるごみや汚れを判断する判断手段と、
を具備したことを特徴とする画像読取装置。
【請求項２】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している記憶手段と、
上記原稿に対する読取り走査を行う際に、上記白基準板を上記走査手段により読取り走査することにより、上記ラインセンサから得られる１ライン分の画素単位の電気信号を出力する出力手段と、
この出力手段により出力された１ライン分の画素単位の電気信号と上記記憶手段にあらかじめ記憶されている基準データとを比較することにより、上記走査手段、上記ラインセンサ等におけるごみや汚れを判断する判断手段と、
この判断手段により、上記走査手段、上記ラインセンサ等におけるごみや汚れを判断した際に、その旨を報知する報知手段と、
を具備したことを特徴とする画像読取装置。
【請求項３】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している記憶手段と、
上記原稿に対する読取り走査を行う際に、上記白基準板を上記走査手段により読取り走査することにより、上記ラインセンサから得られる１ライン分の画素単位の電気信号を出力する出力手段と、
この出力手段により出力された１ライン分の画素単位の電気信号と上記記憶手段にあらかじめ記憶されている基準データとを比較することにより、上記走査手段、上記ラインセンサ等におけるごみや汚れを判断する判断手段と、
この判断手段により、上記走査手段、上記ラインセンサ等におけるごみや汚れを判断した際に、上記走査手段、上記ラインセンサ等におけるごみや汚れを清掃する清掃手段と、
を具備したことを特徴とする画像読取装置。
【請求項４】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している第１の記憶手段と、
上記原稿に対する読取り走査を行う際に、上記白基準板を上記走査手段により読取り走査することにより、上記ラインセンサから得られる１ライン分の画素単位の電気信号を出力する出力手段と、
この出力手段により出力される１ライン分の画素単位の電気信号と上記第１の記憶手段にあらかじめ記憶されている基準データとを比較することにより、上記走査手段、上記ラインセンサ等におけるごみや汚れを判断する判断手段と、
この判断手段により、上記走査手段、上記ラインセンサ等におけるごみや汚れを判断しなかった際に、上記出力手段により出力される１ライン分の画素単位の電気信号をシェーディング補正データとして記憶する第２の記憶手段と、
上記走査手段により原稿を読取り走査することにより、上記ラインセンサから得られる１ライン分の画素単位の電気信号を上記第２の記憶手段に記憶されているシェーディング補正データにより補正する補正手段と、
を具備したことを特徴とする画像読取装置。
【請求項５】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している第１の記憶手段と、
上記原稿に対する読取り走査を行う際に、上記白基準板を上記走査手段により読取り走査することにより、上記ラインセンサから得られる１ライン分の画素単位の電気信号を出力する出力手段と、
この出力手段により出力される１ライン分の画素単位の電気信号と上記第１の記憶手段にあらかじめ記憶されている基準データとを比較することにより、上記走査手段、上記ラインセンサ等におけるごみや汚れを判断する判断手段と、
この判断手段により、上記走査手段、上記ラインセンサ等におけるごみや汚れを判断した際に、その旨を報知する報知手段と、
上記判断手段により、上記走査手段、上記ラインセンサ等におけるごみや汚れを判断しなかった際に、上記出力手段により出力される１ライン分の画素単位の電気信号をシェーディング補正データとして記憶する第２の記憶手段と、
上記走査手段により原稿を読取り走査することにより、上記ラインセンサから得られる１ライン分の画素単位の電気信号を上記第２の記憶手段に記憶されているシェーディング補正データにより補正する補正手段と、
を具備したことを特徴とする画像読取装置。
【請求項６】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している第１の記憶手段と、
上記原稿に対する読取り走査を行う際に、上記白基準板を上記走査手段により読取り走査することにより、上記ラインセンサから得られる１ライン分の画素単位の電気信号を出力する出力手段と、
この出力手段により出力される１ライン分の画素単位の電気信号と上記第１の記憶手段にあらかじめ記憶されている基準データとを比較することにより、上記走査手段、上記ラインセンサ等におけるごみや汚れを判断する判断手段と、
この判断手段により、上記走査手段、上記ラインセンサ等におけるごみや汚れを判断した際に、上記走査手段、上記ラインセンサ等におけるごみや汚れを清掃する清掃手段と、
上記判断手段により、上記走査手段、上記ラインセンサ等におけるごみや汚れを判断しなかった際に、上記出力手段により出力される１ライン分の画素単位の電気信号をシェーディング補正データとして記憶する第２の記憶手段と、
上記走査手段により原稿を読取り走査することにより、上記ラインセンサから得られる１ライン分の画素単位の電気信号を上記第２の記憶手段に記憶されているシェーディング補正データにより補正する補正手段と、
を具備したことを特徴とする画像読取装置。
【請求項７】
原稿の画像を読取る画像読取装置において、
原稿に対して副走査方向に相対的に移動することにより原稿をライン単位に読取り走査する走査手段と、
この走査手段により読取り走査される１ラインごとの画素単位の反射光量を電気信号に変換するラインセンサと、
このラインセンサからの電気信号を複数階調の階調データに変換する変換手段と、
上記ラインセンサによる画素ごとの電気信号を補正するための白基準板を上記走査手段により読取り走査することにより、上記ラインセンサから得られる１ライン分の画素単位の電気信号を上記変換手段により変換した階調データを基準データとしてあらかじめ記憶している記憶手段と、
上記原稿に対する読取り走査を行う際に、上記白基準板を上記走査手段により読取り走査することにより、上記ラインセンサから得られる１ライン分の画素単位の電気信号を上記変換手段により変換した階調データを出力する出力手段と、この出力手段により出力された１ライン分の画素単位の階調データと上記記憶手段にあらかじめ記憶されている基準データとしての１ライン分の画素単位の階調データとを比較することにより、１画素ごとの階調差が所定値以上の画素があった際に、上記走査手段、上記ラインセンサ等におけるごみや汚れを判断する判断手段と、
を具備したことを特徴とする画像読取装置。
【請求項８】
上記判断手段が、１画素ごとの階調差が所定値以上の画素数が所定数以上の際に、上記走査手段、上記ラインセンサ等におけるごみや汚れを判断するものであることを特徴とする請求項７に記載の画像読取装置。
【発明の詳細な説明】
【０００１】
【発明の属する技術分野】
この発明は、原稿の画像をラインセンサを用いて読取る画像読取装置に関する。
【０００２】
【従来の技術】
従来、ＣＣＤラインセンサを使用したスキャナ（画像読取装置）では、読取りを行う際に使用している光学系にゴミや汚れが付着すると読み取った画像に大きな影響を与えてしまう。このため、定期的に清掃を行い実際に読取った画像を画面表示あるいはプリントアウトして、目視で判断し、その都度ごみや汚れの影響を調べていた。
【０００３】
これまでは、読み取ったイメージ画像を見て人的に目視検査を行ってきたが、どうしても人間が行う作業には限界が有り光学系に付いたごみや汚れ等で発生する画像品質の低下を検査するための微妙な判断に時間や手間が掛かってしまい機器の信頼性に問題が生じる場合があった。また、点検時には問題が無くても機器を使用している状態でごみや汚れが光学系に付着した場合は読み取った画像に影響を与えてしまい鮮明な画像を得ることが出来なくなってしまう。
【０００４】
【発明が解決しようとする課題】
この発明は、原稿の画像をラインセンサを用いて読取るものにおいて、機体差なく、正確にごみや汚れを検知できる画像読取装置を提供することにある。
【０００５】
【課題を解決するための手段】
この発明は、原稿の画像を読取る画像読取装置において、原稿に対して副走査方向に相対的に移動することにより原稿をライン単位に読取り走査する走査手段と、この走査手段により読取り走査される１ラインごとの画素単位の反射光量を電気信号に変換するラインセンサと、上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している記憶手段と、上記原稿に対する読取り走査を行う際に、上記白基準板を上記走査手段により読取り走査することにより、上記ラインセンサから得られる１ライン分の画素単位の電気信号を出力する出力手段と、この出力手段により出力された１ライン分の画素単位の電気信号と上記記憶手段にあらかじめ記憶されている基準データとを比較することにより、上記走査手段、上記ラインセンサ等におけるごみや汚れを判断する判断手段とから構成される。
【０００６】
この発明は、原稿の画像を読取る画像読取装置において、原稿に対して副走査方向に相対的に移動することにより原稿をライン単位に読取り走査する走査手段と、この走査手段により読取り走査される１ラインごとの画素単位の反射光量を電気信号に変換するラインセンサと、上記ラインセンサによる画素ごとの電気信号を補正するための白基準板を上記走査手段により読取り走査することにより、上記ラインセンサから得られる１ライン分の画素単位の電気信号を基準データとしてあらかじめ記憶している第１の記憶手段と、上記原稿に対する読取り走査を行う際に、上記白基準板を上記走査手段により読取り走査することにより、上記ラインセンサから得られる１ライン分の画素単位の電気信号を出力する出力手段と、この出力手段により出力される１ライン分の画素単位の電気信号と上記第１の記憶手段にあらかじめ記憶されている基準データとを比較することにより、上記走査手段、上記ラインセンサ等におけるごみや汚れを判断する判断手段と、この判断手段により、上記走査手段、上記ラインセンサ等におけるごみや汚れを判断しなかった際に、上記出力手段により出力される１ライン分の画素単位の電気信号をシェーディング補正データとして記憶する第２の記憶手段と、上記走査手段により原稿を読取り走査することにより、上記ラインセンサから得られる１ライン分の画素単位の電気信号を上記第２の記憶手段に記憶されているシェーディング補正データにより補正する補正手段とから構成される。
【０００７】
この発明は、原稿の画像を読取る画像読取装置において、原稿に対して副走査方向に相対的に移動することにより原稿をライン単位に読取り走査する走査手段と、この走査手段により読取り走査される１ラインごとの画素単位の反射光量を電気信号に変換するラインセンサと、このラインセンサからの電気信号を複数階調の階調データに変換する変換手段と、上記ラインセンサによる画素ごとの電気信号を補正するための白基準板を上記走査手段により読取り走査することにより、上記ラインセンサから得られる１ライン分の画素単位の電気信号を上記変換手段により変換した階調データを基準データとしてあらかじめ記憶している記憶手段と、上記原稿に対する読取り走査を行う際に、上記白基準板を上記走査手段により読取り走査することにより、上記ラインセンサから得られる１ライン分の画素単位の電気信号を上記変換手段により変換した階調データを出力する出力手段と、この出力手段により出力された１ライン分の画素単位の階調データと上記記憶手段にあらかじめ記憶されている基準データとしての１ライン分の画素単位の階調データとを比較することにより、１画素ごとの階調差が所定値以上の画素があった際に、上記走査手段、上記ラインセンサ等におけるごみや汚れを判断する判断手段ととから構成される。
【０００８】
【発明の実施の形態】
以下、図面を参照してこの発明の実施形態の画像読取装置を説明する。
図１は、この発明の画像読取装置としてのスキャナ部１の概略構成を示す図である。
このスキャナ部１は、読取光学系を内蔵する本体２と、この本体２上に搭載されるシートフィーダ型の自動供給装置３とにより構成されている。
【０００９】
上記本体２の上面部には、透明なガラス４が設けられ、このガラス４の左端下部には、シェーディング補正用の基準値読取用としての白基準板（シェーディング補正板）５が設けられている。白基準板５の右側のガラス４面上が、原稿読取りに伴う原稿照射位置４ａとなっている。
【００１０】
上記本体２内には、露光ランプ６、ミラー７を搭載しているキャリッジ８が移動可能（原稿の搬送方向）に設けられている。このキャリッジ８の移動により、露光ランプ６による照射位置が、原稿照射位置４ａと、白基準板５の読取位置の２点間を移動するようになっており、原稿読取前に、白基準板５の読取位置に位置（移動）し、白基準板５に対する読取照射後、原稿照射位置４ａに位置（移動）するようになっている。原稿読取時、露光ランプ６による照射位置が原稿照射位置４ａに固定されている。
【００１１】
原稿読取りの際の上記露光ランプ６の位置は、図１の実線の位置であり、白基準板５の読取りの際の上記露光ランプ６の位置は、図１の破線の位置である。  上記露光ランプ６による照射位置が、原稿照射位置４ａの際に、露光ランプ６により原稿照射位置４ａに対して主走査方向（露光ランプ６の長さ方向）への原稿読取り部分としてある幅をもった光を放射させることにより、原稿を露光するようになっている。
【００１２】
また、上記本体２内には、ミラー９、ＣＣＤラインセンサ１０が設けられている。上記ミラー９は、上記本体２に固定されている。これにより、上記露光ランプ６による白基準板５あるいは原稿照射位置４ａからの反射光が、ミラー７、９および結像レンズ１５を介してＣＣＤラインセンサ１０に導かれるようになっている。上記ＣＣＤラインセンサ１０は、入射した反射光を光電変換し、反射光に対応する電気信号を出力するものである。また、このＣＣＤラインセンサ１０から出力される電気信号は、信号処理部１１に供給される。この信号処理部１１は、増幅、Ａ／Ｄ変換、シェーディング補正、ごみや汚れの判断等の処理を行うものであり、この処理がなされた画像データあるいはごみや汚れの判断結果は、たとえば図示しないＰＣ（パソコン）やプリンタ等の外部機器へ出力されるようになっている。
【００１３】
上記自動供給装置３は、複数の原稿が載置される原稿載置台１２と、この原稿載置台１２上の原稿を１枚ずつ（副走査方向に）取込搬送して原稿照射位置４ａを介して搬送する搬送ローラ等の搬送系１３と、この搬送系１３により搬送され原稿照射位置４ａを通過後の原稿が排出されるトレイ１４により構成されている。
【００１４】
上記信号処理部１１は、ＣＣＤラインセンサ１０から供給されるアナログ信号を増幅するアンプ２７、このアンプ２７により増幅されたアナログ信号をデジタル信号に変換するＡ／Ｄ変換回路２８とから構成されている。Ａ／Ｄ変換回路２８の出力は、ＲＡＭ２２、ＥＥＰＲＯＭ５０に供給されるようになっている。
【００１５】
図２は、上記スキャナ部１の制御系を示すものである。
すなわち、スキャナ部１は、全体を制御するＣＰＵ２０、制御プログラム等が記憶されているＲＯＭ２１、各種データを記憶するＲＡＭ２２、電源が遮断されても記憶内容が保持されるＥＥＰＲＯＭ５０、露光ランプ６を点灯制御するレギュレータ２３、ＣＣＤラインセンサ１０を駆動するＣＣＤドライバ２４、キャリッジ８の移動用のモータ（図示しない）を駆動するモータドライバ２５、搬送系１３を回転するモータ（図示しない）を駆動するモータドライバ２６、および上記信号処理部１１とから構成されている。上記ＥＥＰＲＯＭ５０には、出荷時等に設定されるＣＣＤラインセンサ１０の１ライン分の各素子に対応する基準データを記憶するテーブル５１が設けられている。
【００１６】
上記テーブル５１には、たとえば、ＣＣＤラインセンサ１０の各画素ごとの階調値が記憶されている。この階調値は、出荷時等に露光ランプ６、ミラー７、９、結像レンズ、ＣＣＤラインセンサ１０の各部にごみや汚れがない状態で、露光ランプ６からの光を白基準板５に照射することにより、ＣＣＤラインセンサ１０の各素子からアンプ２７、Ａ／Ｄ変換回路２８を介して供給される反射光量に対応するデジタル値であり、図３に示すように、例えば２５６階調で黒（０）に対する階調値から白（２５６）に対する階調値となっている。
【００１７】
横軸の画素はＣＣＤラインセンサ１０の素子数を表し、縦軸の階調はＡ／Ｄ変換回路２８によりＡ／Ｄ変換されるダイナミックレンジを示す。
上記ＣＰＵ２０は、出荷前の組み立て時等において、露光ランプ６、ミラー７、９、結像レンズ１５、ＣＣＤラインセンサ１０の各部にごみや汚れがない状態（何ら画像に影響を与えない条件）で、露光ランプ６からの光を白基準板５に照射することにより、ＣＣＤラインセンサ１０の各素子からアンプ２７、Ａ／Ｄ変換回路２８を介して供給される反射光量に対応するデジタル値を基準データとして生成し、テーブル５１に登録する処理を行うものである。
【００１８】
上記ＣＰＵ２０は、電源投入時、あるいは原稿読取り時、露光ランプ６からの光を白基準板５に照射することにより、ＣＣＤラインセンサ１０の各素子からアンプ２７、Ａ／Ｄ変換回路２８を介して供給される反射光量に対応するデジタル値と、ものである。これにより、常に品質の高い画像を得ることが可能になり機器としての信頼性を上げることが可能になる。この判断結果を図示しない表示部で案内表示したり、あるいは上記ＰＣ（パソコン）やプリンタ等の外部機器へ出力するようにしても良い。
【００１９】
また、上記ＣＰＵ２０は、上記全ての素子に対する比較結果が所定値以内（画像品質に関わる一定の階調差以内）の場合に、読み取り動作を許可する。
上記ＣＰＵ２０は、原稿の読取前に、露光ランプ６による経時変化、中心部と端部の明るさの違いなどに起因するＣＣＤラインセンサ１０からの電気信号のずれに対応するシェーディング補正値を生成し、ＲＡＭ２２に登録する処理を行うものである。
【００２０】
上記ＣＰＵ２０は、原稿の読取時、ＣＣＤラインセンサ１０の各素子からアンプ２７、Ａ／Ｄ変換回路２８を介して供給される反射光量に対応するデジタル値と、ＲＡＭ２２に登録されている各素子に対応するシェーディング補正値によりシェーディング補正を行って、読み取り結果として出力するものである。
【００２１】
まず、基準データの設定処理を、図４に示すフローチャートを参照しつつ説明する。
すなわち、出荷時にこのスキャナ部１に接続されるパソコンにより、基準データの設定モードが選択され、上記ＣＰＵ２０に基準データの設定コマンドが供給される。この際、露光ランプ６、ミラー７、９、結像レンズ１５、ＣＣＤラインセンサ１０の各部（光学系）にごみや汚れがない状態（何ら画像に影響を与えない条件）に設定されている（ＳＴ１）。
【００２２】
すると、ＣＰＵ２０は基準データの設定コマンドを判断し、キャリッジ８つまり露光ランプ６を白基準板５の読取位置に移動し（ＳＴ２）、露光ランプ６を点灯する（ＳＴ３）。
これにより、白基準板５からの反射光がＣＣＤラインセンサ１０に導かれ、ＣＣＤラインセンサ１０の各素子からの電気信号がアンプ２７、Ａ／Ｄ変換回路２８を介して出力され、このＡ／Ｄ変換回路２８からの出力データに基づくＣＣＤラインセンサ１０の１ライン分の各素子に対応する基準データがＥＥＰＲＯＭ５０のテーブル５１に記憶される（ＳＴ４）。すなわち、図３に示すように、ＣＣＤラインセンサ１０の各画素（素子）ごとの階調値が記憶される。
【００２３】
次に、電源投入時における、光学系の汚れ判別処理を、図５に示すフローチャートを参照しつつ説明する。
すなわち、電源の投入に基づいて、ＣＰＵ２０はキャリッジ８つまり露光ランプ６を白基準板５の読取位置に移動し（ＳＴ１１）、露光ランプ６を点灯する（ＳＴ１２）。
【００２４】
これにより、白基準板５からの反射光がＣＣＤラインセンサ１０に導かれ、ＣＣＤラインセンサ１０の各素子からの電気信号がアンプ２７、Ａ／Ｄ変換回路２８を介して出力され、このＡ／Ｄ変換回路２８からの出力データに基づくＣＣＤラインセンサ１０の１ライン分の各素子に対応するデータをＲＡＭ２２に記憶する（ＳＴ１３）。たとえば、図６に示すように、ＣＣＤラインセンサ１０の各画素（素子）ごとの階調値が記憶される。
【００２５】
ＣＰＵ２０は、ＲＡＭ２２に記憶したＣＣＤラインセンサ１０の各素子に対応する階調値と、テーブル５１に登録されている基準データとしての１ライン分の各素子ごとの階調値とを比較し（ＳＴ１４）、階調差が所定値以上（画像品質に関わる一定の階調差以上）の場合に（ＳＴ１５）、対応する素子に対応する露光ランプ６、ミラー７、９、結像レンズ、ＣＣＤラインセンサ１０の部分にごみや汚れが発生していると判断し、読み取り動作を中止するなどの制御を行う（ＳＴ１６）。
【００２６】
たとえば、図３と図６の例の場合には、５画素目の階調値が所定値以上となっており、５画素目の光学系にごみや汚れが有ると判断する。
また、上記ＣＰＵ２０は、上記全ての素子に対する比較結果が所定値以内（画像品質に関わる一定の階調差以内）の場合に、読み取り動作を許可する。この際、Ａ／Ｄ変換回路２８からの出力データに基づいてシェーディング補正値の算出処理に移行する。
【００２７】
上記のように光学系のごみや汚れを判断した際に、その旨を図示しない表示部で表示したり、プリンタによりプリントアウトしたり、ＣＣＤラインセンサ１０等を清掃機構により清掃するようにしても良い。
【００２８】
上記したように、画像を読み取る方法として、読み取り面に読み取り対象物が移動しながら読み取る方法と、読み取り対象物が静止した状態で光学系の方を移動させながら読み取る方法がある。どちらかの読み取り方式であっても読み取る前に光学系のゴミや汚れが無いか検査するため、前に保存した基準データを収集した時と同様に白基準板を読み取り面へセットしＲＡＭ２２へデータを保存する。この保存されたデータを光学系にゴミや汚れの無い状態で収集したＥＥＰＲＯＭ５０の基準データとＣＰＵ２０を使用し各画素単位で階調差を比較する事でごみや汚れによる影響があるかを検査し画像品質に関わる一定の階調差以内であれば読み取り動作を行い、画像品質に関わる一定階調差以上であれば読み取り動作を中止するなどの制御を行うことで常に品質の高い画像を得ることが可能になり機器としての信頼性を上げることが可能である。
【００２９】
すなわち、基準データと読取り走査時のデータとの同位置画素のデータを比較する事で階調の差がごみや汚れが生じた時に大きくなる事から、この階調差を持つ画素数が障害となるごみや汚れの有無や大きさを検知することが可能である。
また、各機体には、照明やＣＣＤラインセンサ及び、回路特性により生じる機体差が有るため、固定の基準データを持つのではなく、各機体固有の基準データを持つことでより正確な検査が可能である。
【００３０】
また、読み取った画像を目視で確認することがなくなり画像データの信頼性がアップし、ごみや汚れ等による画質低下も無くなり何より障害となるごみや汚れを検知でき、システム的信頼性が飛躍的に向上する。
【００３１】
また、基準データが画像処理を行う前のＡ／Ｄ変換を行った生の画像、つまり演算して変換された様なデータでは無いため、正確なデータとして使用でき障害となるゴミや汚れの量的な物も検知できる。（画像処理を行うと障害物データが演算によって変わってしまい判別し難くなる）
また、カラーのＣＣＤラインセンサも白黒のＣＣＤラインセンサと同様の検査方法が使用でき、簡単な方法で障害物（ごみや汚れ）を検知できる。
【００３２】
なお、上記実施例では、シートフィーダ型の自動供給装置を搭載し、原稿読取時にこの自動供給装置から搬送される原稿に対して、固定されている露光ランプを有する光学系により読取りが行われる場合について説明したが、これに限らず、自動原稿送り装置から１枚ずつ搬送される原稿を原稿ガラス上に載置し、この原稿ガラスに沿って移動する光学系により原稿の読取りを行う場合も上記同様に実施できる。この場合、原稿ガラスの手前の下部に白基準板が設けられ、原稿を読取る前に光学系による白基準板に対する読取りが行われるものであり、この読取が連続原稿読取りの場合に、上記時間間隔ごとに行われ、それ以外の場合は原稿読取りだけが行われ、光学系の移動距離が少なくて済み、結果として時間短縮が図れるものである。
【００３３】
また、固定式の光学系を用いて移動する原稿の読取り走査を行うもので、原稿の読取り開始前に、移動式の光学系が読み取り走査位置に位置する装置であっても良い。この場合、原稿の読取り時、白基準板は待機状態となっており、ごみの影響を受け難い状態となっている。
【００３４】
【発明の効果】
以上詳述したように、この発明によれば、原稿の画像をラインセンサを用いて読取るものにおいて、機体差なく、正確にごみや汚れを検知できる画像読取装置を提供できる。
【図面の簡単な説明】
【図１】この発明の実施形態を説明するための画像読取装置の概略構成を示す図。
【図２】スキャナ部の制御系を示すブロック構成図。
【図３】基準データの記憶例を示す図。
【図４】基準データの設定処理を説明するためのフローチャート。
【図５】光学系の汚れ判別処理を説明するためのフローチャート。
【図６】ＣＣＤラインセンサの１ライン分の各素子に対応するデータの記憶例を示す図。
【符号の説明】
１…スキャナ部、５…白基準板、１０…ＣＣＤラインセンサ、２０…ＣＰＵ、２７…アンプ、２８…Ａ／Ｄ変換回路、５０…ＥＥＰＲＯＭ、５１…テーブル。
【図１】
2004186733.tif 000003
【図２】
2004186733.tif 000004
【図３】
2004186733.tif 000005
【図４】
2004186733.tif 000006
【図５】
2004186733.tif 000007
【図６】
2004186733.tif 000008